(57)【要約】【課題】  コンクリート構造部端面と室内側壁部の室内側端面との距離が一定していない構造体において、より少ない種類の接続リングで室内外を適切に接続する。【解決手段】  コンクリート構造物に埋設されているスリーブに対して嵌挿させるスリーブ接続部１Ａと、このスリーブ接続部１Ａと連設する接続リング部１Ｂを有する延長リング１を構成し、接続リング部１Ｂの円周方向に断面Ｖ字型の溝として構成されて薄肉部２Ａ、２Ｂ、２Ｃを形成し、コンクリート構造物と室内側壁部との幅の相違に対応して、この薄肉部の何れかを切断部として不要部分を取り去って接続リング部１Ｂの幅を適正にし、スリーブと室内側に設けられた換気孔部材等の室内部材とをこの延長リング１で接続する。【選択図】        図１
2005344382.tif 000002
【特許請求の範囲】
【請求項１】
コンクリート構造物の端面に一端が開口位置するスリーブとこのコンクリート構造物の端面から所定の幅をもって位置する室内側の壁部との間の空間部の少なくとも一部を接続する部材であって、一端がスリーブに嵌挿位置するリング部材として構成され、当該リング部材の外周壁の円周方向に１以上の薄肉部が形成され、当該薄肉部において不要部分を切断除去することによりリング部材の幅が調整可能に構成されたことを特徴とする接続リング体。
【請求項２】
リング体の一端はスリーブに嵌挿位置するスリーブ接続部として構成され、このスリーブ接続部に対して接続リング部が連設され、接続リング部の外周壁の円周方向には１以上の薄肉部が形成されることにより全体が延長リングとして構成されていることを特徴とする請求項１記載の接続リング体。
【請求項３】
リング体の一端はスリーブに嵌挿位置するスリーブ接続部となる接続リング部として構成され、この接続リング部の他端は室内側壁部の室内面に位置するキャップ係合部として構成され、接続リング部の外周壁には１以上の薄肉部が形成されていることにより全体が室内部材として構成されていることを特徴とする請求項１記載の接続リング体
【請求項４】
前記薄肉部の断面形状はほぼＶ字型であることを特徴とする請求項１乃至３の何れかに記載の接続リング体。
【発明の詳細な説明】
【技術分野】
【０００１】
本発明はコンクリート構造物の壁部或いは床部等を構成するコンクリート構造部に埋設されたスリーブに連設するための接続リング体の構成に関する。
【背景技術】
【０００２】
アパートやマンション或いはオフィスビル等のコンクリート構造物においては、外部との通気の確保、エアコンディショナの電源コード、ドレイン管の設置等のため、壁部、床部等のコンクリート構造部に対して構造物内外を連通する空間としてのスリーブが少なからず埋設配置されている。
【０００３】
図５はコクリート構造部に埋設形成されたスリーブと室内側の各種取付部材との従来構成を示す。符号２０はスリーブであって壁部等のコンクリート構造部２１に埋設配置されている。スリーブ２０は、コンクリート打設時に、コンクリートの打設空間を形成するためのパネルに対してその端部が当接するように配置する必要があるため、スリーブ２０の端縁２０ａはコンクリート構造部２１の端面２１ａと同一平面上に位置している。つまり、スリーブ２０の端縁２０ａをコンクリート構造物２１の端面２１から突出させた状態でコンクリートの打設を行うことはできない。
【０００４】
この様な構成に鑑みスリーブ２０の室内側端面である端面２０ａにはスリーブリングと通称される延長リング２２が嵌挿されている。符号２３は室内側に配置された部材であって、例えばスリーブ２０をエアコン用の電線やドレインパイプを挿通するために使用する場合には当該部材はエアコンキャップあるいはクーラーキャップと称する部材となり、エアコンが設置されていない場合には開口部を閉止するキャップとして、また前記電線或いはドレインパイプを挿通する場合には閉止部分を外してこれらを挿通するために使用する。さらにスリーブ２０を通気孔として使用する場合にはこの部材２３は換気孔として機能することになる。以下実施例も含めて、特にその機能を限定する必要が無い場合にはこれら目的が異なる各部材を室内部材と総称する。
【０００５】
図中符号２４はコンクリート構造部２１側に設けた断熱材、符号２５は石膏ボード等の室内側の壁部である。
ここで、コンクリート構造部２１の端面２１ａから室内側壁部２５の表面部までの幅Ｗ１は同一構造物であっても各部屋の使用目的等によってかなり異なっている。また目的に沿った効果を発揮させるためには前記幅Ｗは今後より一層異なってくることが予想される。例えば、特定の区画或いは部屋に対して高い断熱性、防音性を求める場合には防音材の充填等により幅Ｗ１はより一層大きくなることが予想され、反面、風呂場やトイレ等ではこの幅Ｗ１はさほど大きくはない。
【０００６】
このような事情を踏まえて更に図５について説明する。
延長リング２２と室内部材２３の接続リング部２３ａとは、図示のように幅Ｗ２の重合部を持って接続している。このため、Ｗ１が大きくなると幅Ｗ２が取れなくなり、両者の接続が不可能となってしまう。
【０００７】
この接続を可能とするための第１の方法としては延長リング２２の接続リング部２２ａを延長することが考えられる。このように構成すれば確かにＷ１が大きい場合には対応可能であるが、Ｗ１が小さい場合、接続リング部２２ａの端縁が室内側壁部２５の裏面に当接し、当該室内側壁部２５を所定の位置に配置することができなくなってしまうという問題が生じる。
【０００８】
第２の方法として室内部材２３の接続リングの幅Ｗ４を大きく設定する方法が考えられる。この方法によってもＷ１が大きい場合には対応可能であるが、Ｗ１が小さい場合、接続リング２３ａの端縁部が前記延長リング２２の段部２２ｂに当接してしまい、この結果室内部材２３が室内側壁部２５から室内に突出してしまう。
【０００９】
結局、上記の方法ではＷ１が小さい時に対応できないため、接続リング部２２ａの幅Ｗ３が異なる複数の延長リング２２を予め用意しておくことにより、前記幅Ｗ１の大きさの相違に対応して特定の大きさの延長リング２２を選択使用している。なお、接続リング２３ａの幅Ｗ４を異ならせた室内部材２３を複数提供することも理論的には考えられるが、延長リング２２に比較して複雑な構造を有する単価の高い室内部材２３を複数提供することは非常に不経済であり、現実的でない。
【００１０】
以上の観点から、一つのスリーブ内径部に対してその外径が当該スリーブの内径に等しい別の小径スリーブを嵌挿し、この小径スリーブを外側のスリーブに対して出し入れすることによりスリーブの全長を伸縮するよう構成したものが提案されている。
【００１１】
これらの伸縮型スリーブを用いれば幅の異なる複数種類の延長リングを用いる必要はなくなる。しかしながら、セメントートの打設時に外側スリーブと内側の小径スリーブとの間隙にセメントが浸潤し、セメント固化後に小径スリーブの摺動が極端に悪くなったり、全く摺動しなくなる事態がしばしば生じている。
【特許文献１】特開平５−１９５６２０
【特許文献２】特開２００４−１９４７９０
【発明の開示】
【発明が解決しようとする課題】
【００１２】
従来は、コンクリー構造物と室内壁部との距離の相違に対応するためには複数種類の延長リングを用いるか、作動の信頼性が乏しい伸縮型スリーブを用なければならず、経済的でかつ確実にスリーブと室内部材とを接続する部材が無かった。
【課題を解決するための手段】
【００１３】
本発明は上記の課題を解決するために構成したものである。
即ち、本発明の第１の構成はスリーブと接続する接続リング部の円周方向に対して１以上の溝状の薄肉部を形成し、施工現場においてプライヤー等の器具を用いて所定の薄肉部を切断部とするよう接続リングの不要部分を折り取ったり、ナイフなどの刃物を用いて切り取ることにより所定の幅の延長リングを形成できるよう構成した延長リングであることを特徴とする。
【００１４】
また、本発明の第２の構成は前記延長リングの接続リング部の構成を室内部材の接続リング部に形成し、所定の幅に切断した延長リング部をスリーブに対して直接嵌挿することにより延長リング自体を不要とした室内部材であることを特徴とする。
【発明の効果】
【００１５】
本発明を延長リングまたはエアコン用換気部等の室内部材の接続リング部として構成することにより、コンクート構造物の壁面等のコンクリート構造部と室内側壁面との幅の大小に係わらず、その接続リング部の幅を施工現場で容易に調整することが可能となるため、接続リング部の幅の異なる複数種類の延長リングまたは室内部材を用意することなく、幅広い施工に対応することが可能となる。
【発明を実施するための最良の形態】
【００１６】
延長リングの接続リング部或いは室内部材の接続リング部の外周壁に対して断面略Ｖ字型の溝状の薄肉部を形成し、かつこの薄肉部の厚さを接続リング部を構成する材料の強度に対応して決定し、接続リング部の強度を保持すると共にプライヤーやペンチ或いはナイフ等の簡単な工具を用いて施工現場において所定の幅に容易に切断することができるようにする。
【実施例１】
【００１７】
以下、本発明の実施例を図面を参考に具体的に説明する。
図１及び図２は本発明の第１の実施例を示し、本発明の構成を延長リングに実施したものを示す。
【００１８】
符号１は延長リングを示す。延長リング１全体の構成はスリーブ２０（図５参照）の内径部に嵌挿配置するスリーブ接続部１Ａと、このスリーブ接続部１Ａよりも大径で、その内周部に対して室内部材２３の接続リング部２３ａ（図５参照）が嵌挿配置される接続リング部１Ｂとから構成される点においては、その基本構成は従来の延長リング２２と同様である。
【００１９】
この延長リングの接続リング部１Ｂの外周壁に対してはその円周方向に対して接続リング部１Ｂの肉厚を減少させる薄肉部が１以上形成されている。符号２Ａ、２Ｂ、２Ｃはこの薄肉部を示す。これら薄肉部は図２（Ｃ）に示すように断面略Ｖ型の溝として形成されている。この薄肉部２Ａ乃至２Ｃは、室内部材と接続リング部１Ｂとを接続した際に、当該接続リング部１Ｂがその接続を保持するのに十分な強度を有し、かつ施工現場において特定の薄肉部により不要部分を容易に切断可能な強度となるようにその厚さが決定される。
【００２０】
例えば、当該延長リング１の形成材料がＡＢＳ樹脂であり、接続リング部１Ｂの内径が９５ｍｍであり、その肉厚Ｔ１が２ｍｍである場合、薄肉部の肉厚Ｔ２を０．２乃至０．３ｍｍとすることにより接続リング部１Ｂ全体の強度を保持した状態で、しかも薄肉部を容易に切断することが可能となる〔図２（Ｃ）参照〕。なお、薄肉部の肉厚Ｔ２をこのように小さくしても接続リング部１Ｂの強度が十分であるのは、接続リング部１Ｂがその名のとおり環状であるため、当該接続リング部１Ｂに加わった応力が円周方向に分散され、一部に応力が集中することがないことによる。
【００２１】
以上の構成の延長リング１を用いるに当たっては、延長リング１の接続リング部１Ｂの全長を調整するため、所定の薄肉部２Ａ、２Ｂ、２Ｃの何れかにおいて接続リングＢの一部を切断し、これによって接続リング部１Ｂの幅を調整する（因みに、全く切断する必要のない場合も当然生じる）。切断は、ナイフ等刃物によって所定の薄肉部に沿って切断する方法、或いは所定の薄肉部の近傍をペンチ、プライヤー等で挟持して不要部分を折り取る等の方法により、施工現場で容易に長さ調整を行うことができる。
【００２２】
図２（Ｂ）において、接続リング部１Ｂの薄肉部２Ａ乃至２Ｃの何れも切断しない場合には接続リング部１Ｂの全長は最大のＷ５となり、２Ａで切断するとその全長はＷ６に減少し、同様に２Ｂで切断するとその全長はＷ７に、２Ｃで切断するとその全長は最小のＷ８にそれぞれ減少する。このようにして接続リング部１Ｂの幅を所定の大きさに設定した延長リング１のスリーブ接続部１Ａを所定のスリーブに嵌挿することにより延長リング１をスリーブ側に取り付け、室内部材の接続に備える。
【００２３】
図３及び図４は第２の実施例を示す。
この実施例は室内部材の接続リング部に前記延長リングの接続リング部と同様の構成を施すことにより、延長リング自体を不要とするよう構成している。
【００２４】
符号３は室内部材であって、スリーブに対して直接接続する本体部４と、この本体部４に対して螺合或いは嵌挿するキャップ部６とから構成されている。
本体部４は前記延長リング１の接続リング部１Ｂに対応する接続リング部４Ａと、この接続リング部４Ａに連設し、室内壁面に位置するキャップ係合部４Ｂとから成っている。      
【００２５】
符号５Ａ乃至５Ｃはこの接続リング部４Ａの外周壁の円周方向に形成された薄肉部であって、前記延長リング１の接続リング部１Ｂに形成されたものと同様の構成となっている。このように構成することによって、図５に示す室内側壁部２５の室内面とスリーブ２０の端縁部までの距離Ｗ１に対応して室内部材３の接続リング部４Ａの幅を決定する。
【００２６】
即ち、薄肉部５Ａ乃至５Ｃの何れも切断しない場合には接続リング部４Ａの全長は最大のＷ９となり、５Ａで切断するとその全長はＷ１０に減少し、同様に５Ｂで切断するとその全長はＷ１１に、５Ｃで切断するとその全長は最小のＷ１２にそれぞれ減少する。
【００２７】
以上の点を踏まえて、接続リング部４Ａの幅を決定する。因みにこの接続リング部４Ａはその端部（図３の右側）を直接スリーブ２０（符号５参照）に嵌挿するため、接続リング部４Ａの幅は前記スリーブ２０の端部から室内側壁部２５の室内側壁面まで幅Ｗ１よりも大きくしておく必要がある。例えば薄肉部５Ａで切断することにより接続リング部４Ｂの幅をＷ１０とした場内、Ｗ１０＞Ｗ１とならなければならない。
【産業上の利用可能性】
【００２８】
本発明の構成はアパート、マンション等の集合住宅、オフィスビル等の大規模な構造物の他、戸建住宅等の小規模の構造物であっても利用可能である。
【図面の簡単な説明】
【００２９】
【図１】本発明の第１の実施例を示す延長リングの斜視図である。
【図２】（Ａ）は図１に示す延長リングの正面図、（Ｂ）は同延長リングの一部破断側面図、（Ｃ）は同（Ｂ）におけるＡ部拡大図である。
【図３】本発明の第２の実施例を示す室内部材の一部破断側面図である。
【図４】図３のＡ−Ａ線による視図である。
【図５】従来の延長リングを用いたスリーブと室内部材との接続状態を示すコンクリート構造部及び室内側壁部の断面図である。
【図６】従来の延長リングの斜視図である。
【符号の説明】
【００３０】
１  延長リング
１Ａ  （延長リングの）スリーブ接続部
１Ｂ  （延長リングの）接続リング部
２Ａ、２Ｂ、２Ｃ  薄肉部
３  室内部材
４  （室内部材の）本体部
４Ａ  （室内部材の）接続リング部
５Ａ、５Ｂ、５Ｃ  薄肉部
６  キャップ部
２０  スリーブ
２１  コンクリート構造部
２１ａ  コンクリート構造部の端面
２５  室内側壁部
【図１】
2005344382.tif 000003
【図２】
2005344382.tif 000004
【図３】
2005344382.tif 000005
【図４】
2005344382.tif 000006
【図５】
2005344382.tif 000007
【図６】
2005344382.tif 000008